(57)【特許請求の範囲】
【請求項１】
天板上に複数のガスバーナを備え、これらガスバーナにガスを供給するガス供給路に、モータで開度が増減制御される火力調節部を備えたバルブ装置を各々介設した電動バルブ手段を、上記天板の下方に収納したガスコンロにおいて、各バルブ装置を並列に並べた状態で一体に連結した板状のバルブユニット本体を形成すると共に、このバルブユニット本体を天板の下方に水平になるように支持し、モータをバルブユニット本体の下面に取り付け、さらにバルブユニット本体の下面に、モータとの接続部を囲繞する囲い壁を垂設したことを特徴とするガスコンロ。
【発明の詳細な説明】
【技術分野】
【０００１】
本発明は、天板上に設けられた複数のガスバーナの火力を調節する電動のバルブ装置を備えたガスコンロに関する。
【背景技術】
【０００２】
天板に複数のガスバーナが設けられているガスコンロが知られている。また、このようなガスコンロにはガスバーナを備えたグリル庫が設けられている場合がある。このようなガスコンロでは、各バーナにガスを供給するガス供給路には各ガスバーナへのガスの供給量を個別に制御するためのバルブ装置が介設されている。
【０００３】
バルブ装置は手動で操作してもよいが、近年モータで開度を調節する電動バルブが提案されている。例えば、バルブユニット本体を設け、このバルブユニット本体に各バルブ装置を設けて一体のユニットとし、このバルブユニット本体にモータを取り付けるようにしたものが知られている（例えば、特許文献１参照）。
【０００４】
このものではバルブユニット本体をブロック状に形成し、ブロック状のバルブユニット本体の側面に開口を設けて流量調節用の閉子をセットし、さらにその開口を塞ぐように閉子を回転させるモータを取り付けている。
【特許文献１】特開２００２−３１３３６号公報（図３，図５）
【発明の開示】
【発明が解決しようとする課題】
【０００５】
上記特許文献に記載されたものでは、モータがブロック状のバルブユニット本体の側面に取り付けられる。バルブユニット本体は天板の下方に収納されるので、天板上にこぼれた煮汁などの液体は天板の下面に回り込み、バルブユニット本体に滴下するおそれがある。
【０００６】
バルブユニット本体の側面にモータが取り付けられていると、この滴下した煮汁等の液体がモータの取付部分からバルブユニット本体の内部に侵入するおそれが生じる。また、モータ内にこの液体が侵入すればモータ内でショート故障が生じたり回転子を固着させるなど、モータが作動しなくなるおそれも生じる。
【０００７】
そこで本発明は、上記の問題点に鑑み、電動のバルブ装置に煮汁等が滴下しても故障などの不具合が生じないガスコンロを提供することを課題とする。
【課題を解決するための手段】
【０００８】
上記課題を解決するために本発明によるガスコンロは、天板上に複数のガスバーナを備え、これらガスバーナにガスを供給するガス供給路に、モータで開度が増減制御される火力調節部を備えたバルブ装置を各々介設した電動バルブ手段を、上記天板の下方に収納したガスコンロにおいて、各バルブ装置を並列に並べた状態で一体に連結した板状のバルブユニット本体を形成すると共に、このバルブユニット本体を天板の下方に水平になるように支持し、モータをバルブユニット本体の下面に取り付け、さらにバルブユニット本体の下面に、モータとの接続部を囲繞する囲い壁を垂設したことを特徴とする。
【０００９】
モータを板状のバルブユニット本体の下面に取り付けることにより、バルブユニット本体に煮汁等が滴下しても、モータの接続部やモータ自体に煮汁等がかかりにくくなる。なお、バルブユニット本体は水平になるように支持されるが、ここでいう水平とは厳密な意味での水平ではなく、バルブユニット本体の下面に取り付けられたモータに煮汁等がかからないという作用を奏しさえすればよく、ほぼ水平に支持される状態も含む概念である。
【００１０】
また、上記バルブユニット本体の下面に、モータとの接続部を囲繞する囲い壁を垂設することにより、モータの接続部近傍まで煮汁等が進入しても、この囲い壁で接続部への煮汁等の侵入を防止することができる。
【発明の効果】
【００１１】
以上の説明から明らかなように、本発明は、バルブユニット本体へのモータの接続部をバルブユニット本体の下面に設けたので、煮汁等が接続部やモータまで流れることが防止でき、従って煮汁等が接続部からバルブユニット本体内へ侵入することが防止され、また煮汁等がモータにかかることが防止される。そのため、モータが故障したり、煮汁等がバルブユニット本体内へ侵入したことによる不具合を防止することができる。
【発明を実施するための最良の形態】
【００１２】
図１を参照して、１は本発明によるガスコンロであり、天板１１には大バーナ１１ａ、中バーナ１１ｂ、小バーナ１１ｃの３つのガスバーナが設けられている。また、このガスコンロ１にはグリル１２が設けられており、図示しないがグリル１２内には上下１対のガスバーナが設けられている。
【００１３】
図２を参照して、これら各バーナにガスを供給すると共にガスの供給量を個別に制御して火力を調節する電動ガスバルブユニットが設けられている。この電動ガスバルブユニットのバルブユニット本体２にはガスが流入する流入口２１が設けられ、各ガスバーナにガスを供給する供給口２ａ、２ｂ、２ｃ、２ｄが設けられている。
【００１４】
流入口２１の下流には元弁２２が設けられており、この元弁２２が閉弁すると各バーナへのガスの供給が停止される。また、元弁２２を通過したガスはガスバーナへ繋がるガス供給路に分岐される。各ガス供給路には各々バルブ装置３ａ、３ｂ、３ｃ、３ｄが介設されている。各バルブ装置にはバーナの点火状態で開弁保持される電磁安全弁３１と、ガスの供給量を増減して火力を調節する火力調節部３２とが内蔵されている。この火力調節部３２はモータ４によって駆動されるように構成されている。なお、バルブ装置３ｄにはガバナ３０が設けられている。
【００１５】
図３を参照して、バルブユニット本体２はバルブ装置を並列に並べた状態で一体になるように、鋳造により板状に形成されている。そして、バルブユニット本体２が略水平な状態で天板１１の下方に取り付けられるように、１対の脚板３Ｌが取り付けられている。上記４個の各モータ４は図示のように１体に予め組み立てられており、バルブユニット本体２の下面に取り付けられる。
【００１６】
４個のモータ４には各々連結部材４ａ、４ｂ、４ｃが取り付けられいるが、図において左端の連結部材４ａと長穴４１とで各モータ４をバルブユニット本体２に対して位置決めするようにした。そして位置決めされた状態で３個の貫通孔４２にネジを挿通して、モータ４をバルブユニット本体２に固定する。
【００１７】
図４を参照して、バルブユニット本体２の下面には、各連結部材４ａ、４ｂ、４ｃが連結される連結部に、連結部材を囲繞する囲い壁２３ａ、２３ｂ、２３ｃが設けられており、モータ４をバルブユニット本体２に連結すると、各連結部材が囲い壁内に挿入されるようにした。ただし、両端の囲い壁２３ａ、２３ｂの高さを中央の２つの囲い壁２３ｃより高くした。従って、４個の連結部材が同時に囲い壁に挿入されるのではなく、最初に両端の連結部材４ａ、４ｂが囲い壁２３ａ、２３ｂに挿入され、続いて残りの２個の連結部材４ｃが囲い壁２３ｃに挿入されるようにした。このように２段階に分けて挿入されるので、連結作業をスムーズに行うことができる。
【００１８】
そして、図５に示すように、囲い壁２３ａの内周面を機械加工しておき、連結部材４ａが隙間無く囲い壁２３ａに挿入されるように構成し、さらに連結部材４ａを中心にする揺動方向の位置を、バルブユニット本体２に形成したボス２４が長穴４１に挿入されることにより規制して、各モータ４の位置決めを行うようにした。
【００１９】
なお、本発明は上記した形態に限定されるものではなく、本発明の要旨を逸脱しない範囲内において種々の変更を加えてもかまわない。
【図面の簡単な説明】
【００２０】
【図１】本発明の一実施の形態の構成を示す図
【図２】ガスの流れを示すブロック図
【図３】電動バルブユニットの外観図
【図４】モータの取付状態を示す図
【図５】モータの位置決めを示す図
【符号の説明】
【００２１】
１  ガスコンロ
２  バルブユニット本体
２ａ  供給口
３ａ、３ｂ、３ｃ、３ｄ  バルブ装置
４  モータ
４ａ、４ｂ、４ｃ  連結部材
１１  天板
１１ａ  大バーナ
１１ｂ  中バーナ
１１ｃ  小バーナ
２２  元弁
２３ａ、２３ｂ、２３ｃ  囲い壁
３１  電磁安全弁
３２  火力調節部
４１  長穴
【図１】
0004938585.tif 000002
【図２】
0004938585.tif 000003
【図３】
0004938585.tif 000004
【図４】
0004938585.tif 000005
【図５】
0004938585.tif 000006